(57)【特許請求の範囲】
【請求項１】
細長い針を備えた吊り下げ具であって、
前記針は、
先端を尖らせた針本体部と、
前記針本体部の基端に設けられた円筒状の胴体部と、
前記胴体部の外周面に設けられた第一の螺子部と、
を備え、
前記吊り下げ具は、
壁面の上下方向に沿って設置される板状の吊り下げ本体部と、
前記吊り下げ本体部の表面の一端の所定の位置に設けられ、吊り下げ本体部の表面に対して所定の角度で、且つ、前記吊り下げ本体部の上方に傾斜して延出され、円柱形状、多角柱形状、楕円柱形状のいずれかである延出部と、
前記延出部の先端から前記吊り下げ本体部の裏面まで、前記延出部の軸方向に沿って貫通させて設けられている円筒孔と、
前記円筒孔の内周面に設けられ、前記第一の螺子部と螺着可能である第二の螺子部と、
前記吊り下げ本体部の裏面の他端の所定の位置に設けられた突起部と、
前記吊り下げ本体部の上方に延出され、物品が吊り下げられる吊り下げ部と、
を備える吊り下げ具。
【発明の詳細な説明】
【技術分野】
【０００１】
本発明は、吊り下げ具に関する。
【背景技術】
【０００２】
一戸建ての家屋や分譲住宅のマンション等の構築物の壁面に、日用品や小物、額縁や鏡、棚や箱等の家具類を吊り下げるために用いられる吊り下げ具の開発が進んでいる。
【０００３】
例えば、特開２０１４−８７６３２号公報（特許文献１）では、少なくとも一本のピン片から成る針部材と、当該針部材が組み付けられるヘッド部材とを備えており、針部材がヘッド部材を貫通して壁に突き刺されることによりヘッド部材が壁に固定される壁装着具が開示されている。この壁装着具では、各ピン片は、一本の先端部分が尖った細長い板状のピン片本体と、当該ピン片本体部の前記先端部分とは反対側の基端部分において細長い板状の板面と共通の板面内でピン片本体から一体的に且つピン幅方向に拡大して延びるピン片頭部を備えている。ヘッド部材には、ピン片がヘッド部材を貫通するときにピン片の動きを案内するピン片案内孔と、ピン片がヘッド部材に貫通して装着された状態でピン片頭部を収容するピン片頭部収容溝が形成されている。これにより、女性や年配者であっても、ピン片を少ない力で一本ずつ壁に容易に突き刺すことができるとともに、針部材の突き刺しによる壁へのダメージを少なくすることもできるとしている。又、石膏ボードのような壁に対しては勿論のこと、比較的硬質の壁に対しても、ピン片を安定した姿勢を維持しながら突き刺し続けることができ、針部材を正確且つ確実に突き刺すことができ、更に突き刺しの失敗を可及的に少なくした壁装着具を提供することができるとしている。
【０００４】
又、特開２０１６−１９８１９２号公報（特許文献２）には、頭部を有する固定ピンにより壁面に固定される固定板の所定位置に、吊り下げフック部を設け、固定板に裏面側から表面側に向かって隆起部を形成し、この隆起部に、少なくとも１つの固定ピン用孔を、該孔を通る固定ピンが前記壁面に対して斜め下方に延びるようになるように設けた吊り下げ具が開示されている。この吊り下げ具では、隆起部に、孔から半径方向に所定長延びるスリットを形成すると共に、固定ピンに、その頭部から少なくとも隆起部の板厚よりも大きな間隔を隔てた位置に半径方向に延び、スリットを通過することができるピン状ストッパ部を設けている。これにより、固定用ピンを石膏ボードに突き刺すとき、ピン状ストッパ部がスリットを通るようにし、その後、固定ピンを回転させて、スリットの位置から外し、ピン状ストッパ部が固定板の裏面に接触することにより、固定ピンが抜け出ないようにすることが出来るとしている。
【先行技術文献】
【特許文献】
【０００５】
【特許文献１】特開２０１４−８７６３２号公報
【特許文献２】特開２０１６−１９８１９２号公報
【発明の概要】
【発明が解決しようとする課題】
【０００６】
壁面に物品を吊り下げる場合、吊り下げ具に設けられた針（ピン）を壁面に突き刺して吊り下げ具を壁面に固定する。ここで、吊り下げ具が針を壁面に突き刺す構成では、吊り下げ具を壁面から外した後に、針の突き刺し跡が壁面に残ってしまうという課題がある。
【０００７】
そこで、壁面に生じる針の突き刺し跡を目立たなくするために、針を細くする方法がある。ここで、針を細くすると、物品を吊り下げる吊り下げ具の耐荷重が低下し、吊り下げ対象の物品は、例えば、ポスターやカレンダー等の軽量物に限られてしまう。
【０００８】
そのため、吊り下げ具の耐荷重を向上させるために、例えば、針の数を増加させる方法があるが、針の数を増加させると、針の突き刺し跡が増加し、壁面の見た目が悪くなる。又、針を細長くする方法もあるが、針を細長くすると、壁面に突き刺し難くなる。例えば、女性や高齢者が、細長い針を壁面に突き刺そうとすると、針に掛かる力が適切に伝わらず、突き刺し中の針が曲がってしまう場合がある。
【０００９】
このように、針を用いた吊り下げ具では、耐荷重を向上させるとともに、壁面に生じる針の突き刺し跡を目立たなくする構成が求められていた。
【００１０】
特許文献１に記載の技術では、ピン片が先端部分の尖った細長い板状であるため、壁面でのピンの突き刺し跡が大きく目立ってしまうという課題がある。
【００１１】
又、特許文献２に記載の技術では、固定ピンが細長いため、上述と同様に、突き刺し中の固定ピンが曲がる可能性がある。
【００１２】
そこで、本発明は、前記課題を解決するためになされたものであり、針の突き刺し性に優れ、十分な耐荷重を有し、壁面への針の突き刺し跡を目立たなくすることが可能な吊り下げ具を提供することを目的とする。
【課題を解決するための手段】
【００１３】
本発明者は、鋭意研究を重ねた結果、本発明に係る新規な吊り下げ具を完成させた。即ち、本発明は、細長い針を備えた吊り下げ具であって、前記針は、針本体部と、胴体部と、第一の螺子部と、を備える。針本体部は、先端を尖らせている。胴体部は、針本体部の基端に設けられ、円筒状である。第一の螺子部は、胴体部の外周面に設けられている。前記吊り下げ具は、吊り下げ本体部と、延出部と、円筒孔と、突起部と、吊り下げ部と、を備える。吊り下げ本体部は、壁面の上下方向に沿って設置され、板状である。延出部は、前記吊り下げ本体部の表面の一端の所定の位置に設けられ、吊り下げ本体部の表面に対して所定の角度で、且つ、前記吊り下げ本体部の上方に傾斜して延出される。円筒孔は、前記延出部の先端から前記吊り下げ本体部の裏面まで、前記延出部の軸方向に沿って貫通させて設けられている。第二の螺子部は、前記円筒孔の内周面に設けられ、前記第一の螺子部と螺着可能である。突起部は、前記吊り下げ本体部の裏面の他端の所定の位置に設けられている。吊り下げ部は、前記吊り下げ本体部の上方に延出され、物品が吊り下げられる。本発明は、前記吊り下げ本体部の延出部を上方に向けた状態で、当該吊り下げ本体部の裏面を壁面に設置して、前記吊り下げ本体部の突起部を壁面に係止させ、前記針の針本体部の先端を前記延出部の円筒孔に挿通して、前記針の胴体部の第一の螺子部を前記延出部の円筒孔の第二の螺子部に螺着させることで、当該針本体部の先端を壁面に突き刺し、前記吊り下げ部に物品を吊り下げる。
【発明の効果】
【００１４】
本発明によれば、針の突き刺し性に優れ、十分な耐荷重を有し、壁面への針の突き刺し跡を目立たなくすることが可能となる。
【図面の簡単な説明】
【００１５】
【図１】本発明に係る吊り下げ具の正面図（図１Ａ）と、左側面断面図（図１Ｂ）と、である。
【図２】本発明に係る吊り下げ具の裏面視斜視図（図２Ａ）と、底面図（図２Ａ）と、である。
【図３】本発明に係る吊り下げ具において針を突き刺す場合の左側面断面図（図３Ａ）と、針を突き刺した場合の左側面断面図（図１Ｂ）と、である。
【図４】本発明に係る吊り下げ具において物品を吊り下げた場合の左側面断面図（図４Ａ）と、正面図（図４Ｂ）と、である。
【図５】本発明に係る吊り下げ具において吊り下げ本体部の形状を変更した場合の正面図（図５Ａ）と、突起部の数を変更した場合の正面図（図５Ｂ）と、である。
【図６】本発明に係る吊り下げ具において延出部と吊り下げ部とを別個に形成した場合の正面図（図６Ａ）と、左側面断面図（図６Ｂ）と、である。
【図７】実施例１に係る吊り下げ具の正面写真（図７Ａ）と、裏面視斜視図（図７Ｂ）と、である。
【図８】実施例１に係る吊り下げ具の各荷重毎の吊り下げ試験の写真と、吊り下げ具を取り外した場合の壁面での針の突き刺し跡の写真と、である。
【図９】実施例２に係る吊り下げ具の正面写真（図９Ａ）と、裏面視斜視図（図９Ｂ）と、である。
【図１０】実施例２に係る吊り下げ具の各荷重毎の吊り下げ試験の写真と、実施例２に係る吊り下げ具の各荷重毎の拡大写真と、である。
【発明を実施するための形態】
【００１６】
以下に、添付図面を参照して、本発明に係る実施形態について説明し、本発明の理解に供する。尚、以下の実施形態は、本発明を具体化した一例であって、本発明の技術的範囲を限定する性格のものではない。
【００１７】
本発明は、細長い針１を備えた吊り下げ具２であって、図１Ａに示すように、針１は、針本体部１０と、胴体部１１と、第一の螺子部１２と、を備える。針本体部１０は、先端１０ａを尖らせている。胴体部１１は、針本体部１０の基端１０ｂに設けられ、円筒状である。第一の螺子部１２は、胴体部１１の外周面１１Ｓに設けられている。ここで、第一の螺子部１２は、胴体部１１の外周面１１Ｓに対して雄螺子部を構成している。
【００１８】
又、吊り下げ具２は、図１Ａ、図１Ｂ、図２Ａ、図２Ｂに示すように、吊り下げ本体部２０と、延出部２１と、円筒孔２２と、第二の螺子部２３と、突起部２４と、吊り下げ部２５と、を備える。
【００１９】
吊り下げ本体部２０は、壁面の上下方向に沿って設置され、板状である。延出部２１は、吊り下げ本体部２０の表面２０Ｓ１の一端２０ａの所定の位置に設けられ、吊り下げ本体部２０の表面２０Ｓ１に対して所定の角度Ｒで、且つ、吊り下げ本体部２０の上方に傾斜して延出される。ここで、延出部２１は、円柱形状に構成されている。
【００２０】
円筒孔２２は、延出部２１の先端２１ａから吊り下げ本体部２０の裏面２０Ｓ２まで、延出部２１の軸方向に沿って貫通させて設けられている。第二の螺子部２３が、円筒孔２２の内周面２２Ｓに設けられ、第一の螺子部１２と螺着可能である。ここで、第二の螺子部２３は、円筒孔２２の内周面２２Ｓに対して雌螺子部を構成している。
【００２１】
突起部２４は、吊り下げ本体部２０の裏面２０Ｓ２の他端２０ｂの所定の位置に設けられている。ここで、突起部２４は、ピラミッド型の略四面体状である。吊り下げ部２５は、吊り下げ本体部２０の上方に延出され、物品が吊り下げられる。ここで、延出部２１に物品を吊り下げることが可能であるため、吊り下げ部２５は、延出部２１と一体として形成している。
【００２２】
そして、本発明に係る吊り下げ具２は、図３Ａに示すように、吊り下げ本体部２０の延出部２１を上方に向けた状態で、当該吊り下げ本体部２０の裏面２０Ｓ２を壁面Ｗに設置して、吊り下げ本体部２０の突起部２４を壁面Ｗに係止させる。
【００２３】
更に、本発明に係る吊り下げ具２は、針１の針本体部１０の先端１０ａを延出部２１の円筒孔２２に挿通して、針１の胴体部１１の第一の螺子部１２を延出部２１の円筒孔２２の第二の螺子部２３に螺着させることで、図３Ｂに示すように、当該針本体部１０の先端１０ａを壁面Ｗに突き刺す。
【００２４】
そして、本発明に係る吊り下げ具２は、図４Ａ、図４Ｂに示すように、吊り下げ部２５（ここでは、延出部２１）に物品Ｏ（例えば、物品と連結している連結紐Ｓ）を吊り下げる。
【００２５】
これにより、針の突き刺し性に優れ、十分な耐荷重を有し、壁面Ｗへの針１の突き刺し跡を目立たなくすることが可能となる。
【００２６】
即ち、本発明では、針１を細長く構成したとしても、針１の針本体部１０の先端１０ａを延出部２１の円筒孔２２に挿通して、針１の胴体部１１の第一の螺子部１２を延出部２１の円筒孔２２の第二の螺子部２３に螺着させることで、針本体部１０の先端１０ａが回転しながら、壁面Ｗに突き刺すことになる。そのため、女性や高齢者であっても、細長い針１に掛かる力が適切に伝わり、突き刺し中の針１が曲がってしまうことなく、細長い針１を適切に壁面Ｗに突き刺すことが可能となる。
【００２７】
尚、針１を引き抜く場合は、突き刺しの際の回転方向と逆の回転方向に回転しながら、引き抜くことで、突き刺さった針１の針本体部１０の先端１０ａも回転しながら抜けることになるため、壁面Ｗの突き刺し跡を最小限にして針１を綺麗に引き抜くことが可能となる。
【００２８】
又、本発明では、細長い針１を上方向から下方向に向かって、壁面Ｗに対して傾斜させて突き刺すことで、耐荷重を向上させる。更に、本発明では、細長い針１の傾斜の突き刺しに加えて、吊り下げ本体部２０の突起部２４を壁面Ｗに係止させるように構成している。この突起部２４は、壁面Ｗに対して吊り下げ本体部２０の滑り止めとして機能するため、更に耐荷重を向上させる。このように、細長い針１の傾斜の突き刺しと壁面Ｗへの突起部２４の係止の組み合わせにより、物品Ｏの大きな荷重が掛かったとしても、吊り下げ具２が壁面Ｗから落下することなく、物品Ｏを吊り下げておくことが可能となる。
【００２９】
更に、本発明では、細長い針１の突き刺しにより、針１の突き刺し跡のサイズを最小限に抑えている。又、本発明では、突起部２４が壁面Ｗに突き刺さることが無いため、壁面Ｗへの損傷に繋がり難い。このように、本発明では、実質的に細長い針１による壁面Ｗの損傷だけを生じるように構成にしているため、壁面Ｗへの針１の突き刺し跡を目立たなくすることが可能となるのである。
【００３０】
特に、本発明では、針１の突き刺しに道具を必要とせず、女性等でも簡単に針１の突き刺しを行うことが出来るため、インテリア好きの女性や賃貸住宅で壁面Ｗに棚等の物品を取り付けることが出来ない人、新築住宅で壁面Ｗを傷付けたくない人等にとって、最適な吊り下げ具である。又、本発明では、耐荷重を高めていることから、昨今流行りのＤＩＹ男子向け、ＤＩＹ女子向けの吊り下げ具として最適である。
【００３１】
更に、本発明では、針１を用いた吊り下げ具２を２つ壁面Ｗに並べて固定することで、紙製の軽い棚やアルミポールを使った収納棚、昨今流行りの室内緑化物（アートフラワー等の簡易緑化物）用の棚、室内インテリアのファブリックパネル等、様々な物品を壁面Ｗに吊り下げて固定することが可能となり、ユーザーへのバラエティー溢れる壁面装飾の選択肢を提供することが可能となる。
【００３２】
ここで、針本体部１０の構成は、先端の直径が小さく、細長ければ、特に限定は無いが、例えば、先端１０ａの直径を１ｍｍ以下とし、針本体部１０の長さを１５ｍｍ以上とすると、耐荷重を向上させるとともに、壁面Ｗへの針１の突き刺し跡を目立たなくすることが出来るため、好ましい。
【００３３】
又、胴体部１１の構成は、円筒状であれば、特に限定は無いが、例えば、図１Ａに示すように、胴体部１１の全体は、円筒孔２２に装着されるため、円筒形状とし、胴体部１１の先端は、針本体部１０を延出するため、三角柱状に構成しても良い。
【００３４】
又、第一の螺子部１２の構成は、第二の螺子部２３に螺着する構成であれば、特に限定は無いが、図１Ａに示すように、第二の螺子部２３が雌螺子部であれば、第一の螺子部１２は雄螺子部となり、第二の螺子部２３が雄螺子部であれば、第一の螺子部１２は雌螺子部となる。
【００３５】
又、第一の螺子部１２は、第二の螺子部２３と螺着するため、第一の螺子部１２の雄螺子部の螺子山のピッチは、第二の螺子部２３の雌螺子部の螺子溝のピッチと同等であるが、第一の螺子部１２の雄螺子部の螺子山又は第二の螺子部２３の雌螺子部の螺子溝のピッチに特に限定は無く、例えば、針１を緩やかに回転させながら押し込める程度のピッチに構成されると好ましい。
【００３６】
又、第一の螺子部１２は、胴体部１１の外周面１１Ｓの全体に設けられても良いし、一部に設けられても構わない。
【００３７】
又、針１は、図１Ａに示すように、胴体部１１の基端に、胴体部１１の外周径よりも大きい外周径を有する頭部１３を更に備えても良い。これにより、図３Ａ，図３Ｂに示すように、針１の胴体部１１の第一の螺子部１２を延出部２１の円筒孔２２の第二の螺子部２３に螺着させた際に、針１の胴体部１１が円筒孔２２の最奥に押し込まれると、針１の頭部１３がストッパとして機能し、延出部２１の先端２１ａに接触して、針１の螺着が停止される。これにより、針１の押し込みを適度に制限することが出来る。
【００３８】
又、胴体部１１と、第一の螺子部１２と、頭部１３の材質に特に限定は無いが、例えば、合成樹脂等を挙げることが出来る。
【００３９】
又、吊り下げ本体部２０の構成に特に限定は無いが、例えば、図１Ａに示すように、表面視で略四角形状に構成しても良いし、図５Ａに示すように、表面視で略円形状に構成しても良い。又、他の形状として、六角形状、八角形状等の多角形状や楕円形状等であっても構わない。
【００４０】
又、延出部２１の構成に特に限定は無いが、例えば、図１、図２に示すように、円柱形状に構成しても良いし、三角柱形状、四角柱形状等の多角柱形状や楕円柱形状等に構成しても良い。
【００４１】
又、延出部２１の角度Ｒに特に限定は無いが、例えば、３０度〜８０度の範囲内であると好ましく、４０度〜７０度の範囲内であると更に好ましい。これにより、針１の突き刺し角度を延出部２１の角度Ｒに対応させて、耐荷重を向上させることが可能となる。
【００４２】
又、円筒孔２２の構成に特に限定は無いが、例えば、針の胴体部１１の直径と同等の直径を有すると好ましい。
【００４３】
又、第二の螺子部２３の構成に特に限定は無いが、例えば、図１、図２に示すように、延出部２１の先端２１ａの円筒孔２２から吊り下げ本体部２０の裏面２０Ｓ２に向かって、円筒孔２２の内周面２２Ｓの所定の範囲に設けられても良いし、延出部２１の先端２１ａの円筒孔２２から吊り下げ本体部２０の裏面２０Ｓ２の円筒孔２２まで、円筒孔２２の内周面２２Ｓの全体に設けられても構わない。
【００４４】
又、突起部２４の構成に特に限定は無いが、例えば、図１、図２に示すように、略四面体状でも良いし、ドーム型の半球形状でも良い。
【００４５】
又、突起部２４の数に特に限定は無いが、例えば、図１、図２に示すように、吊り下げ本体部２０の裏面２０Ｓ２の他端２０ｂの所定の位置に一つ設けても良いし、図５Ａ、図５Ｂに示すように、吊り下げ本体部２０の裏面２０Ｓ２の他端２０ｂの所定の位置に、吊り下げ本体部２０の左右方向に沿って２つ以上設けても良い。突起部２４の数が増加する程、壁面Ｗへの滑り止め機能が働き、耐荷重を向上させることが可能となる。
【００４６】
又、突起部２４の設置位置は、吊り下げ本体部２０の裏面２０Ｓ２の他端２０ｂの所定の位置を含んでいれば、特に限定は無く、例えば、吊り下げ本体部２０の裏面２０Ｓ２の他端２０ｂの所定の位置に加えて、吊り下げ本体部２０の裏面２０Ｓ２の中央位置や一端２０ａの所定の位置を追加して、これらの位置に突起部２４を設けても構わない。壁面Ｗに対する突起部２４の接触面積が増加する程、壁面Ｗへの滑り止め機能が働き、耐荷重を向上させることが可能となる。
【００４７】
又、吊り下げ部２５の構成に特に限定は無いが、例えば、図１、図２に示すように、延出部２１と一体として形成しても良いし、図６Ａ、図６Ｂに示すように、延出部２１と別体として形成しても良い。この場合、例えば、吊り下げ部２５は、フック形状に構成され、図６Ａ、図６Ｂに示すように、吊り下げ本体部２０の表面２０Ｓ１の他端２０ｂの所定の位置や中央位置に設けられると好ましい。
【００４８】
又、吊り下げ本体部２０と、延出部２１と、第二の螺子部２３と、突起部２４と、吊り下げ部２５の材質に特に限定は無いが、例えば、合成樹脂等を挙げることが出来る。
【実施例】
【００４９】
以下、実施例、比較例等によって本発明を具体的に説明するが、本発明はこれにより限定されるものではない。
【００５０】
先ず、図１、図２に示す、針１を用いた吊り下げ具２の図面に基づいて、３Ｄプリンタを用いて、図７Ａ、図７Ｂに示すように、合成樹脂で針１と吊り下げ具２とを実施例１として製造した。針１の針本体部１０の先端１０ａの直径は０．５ｍｍとし、針本体部１０の長さは１８ｍｍとし、第一の螺子部１２は、雄螺子部とし、第二の螺子部２３は、雌螺子部とした。本体部２０は、表面視で略四角形状に構成し、延出部２１の傾斜の角度Ｒは約７０度とした。又、突起部２４は、吊り下げ本体部２０の裏面２０Ｓ２の他端２０ｂ（下端）の所定の位置に、吊り下げ本体部２０の左右方向に沿って複数設けた。突起部２４は、高さは約１．５ｍｍとした。吊り下げ部２５は、円柱形状の延出部２１と一体として形成した。
【００５１】
針１を突き刺し可能な壁面Ｗに、実施例１の吊り下げ具２の吊り下げ本体部２０の延出部２１を上方に向けた状態で、当該吊り下げ本体部２０の裏面２０Ｓ２を壁面Ｗに設置して、吊り下げ本体部２０の突起部２４を壁面Ｗに係止させた。次に、実施例１の針１の針本体部１０の先端１０ａを延出部２１の円筒孔２２に挿通して、針１の胴体部１１の第一の螺子部１２を延出部２１の円筒孔２２の第二の螺子部２３に螺着させることで、当該針本体部１０の先端１０ａを壁面Ｗに突き刺した。この際、針１が細長くても、難なく突き刺すことが可能であった。
【００５２】
そして、吊り下げ部２５となる延出部２１に物品Ｏの連結紐Ｓを吊り下げて、吊り下げ試験を行い、耐荷重を確認した。その結果、図８に示すように、２．５ｋｇの荷重相当の物品Ｏを吊り下げても、吊り下げ具２は、落下することなく物品Ｏを吊り下げておくことが出来た。次に、物品Ｏの荷重を３．０ｋｇとしても、吊り下げ具２は、落下することなく物品Ｏを吊り下げておくことが出来た。更に驚くべきことに、物品Ｏの荷重を４．０ｋｇとしても、吊り下げ具２は、落下することなく物品Ｏを吊り下げておくことが出来た。従って、実施例１では、細長い針１の傾斜の突き刺しと壁面Ｗへの突起部２４の係止の組み合わせにより、物品Ｏの大きな荷重が掛かったとしても、吊り下げ具２が壁面Ｗから落下することなく、物品Ｏを吊り下げておくことが可能となることが分かった。
【００５３】
又、物品Ｏを吊り下げた後、針１を抜き取り、吊り下げ具２を取り外して、壁面Ｗの針１の突き刺し跡を確認すると、図８に示すように、０．５ｍｍ程度の小さい穴が出来ただけで、壁面Ｗへの損傷が殆ど無かった。これにより、壁面Ｗへの針１の突き刺し跡を目立たなくすることが出来ることが分かった。
【００５４】
次に、図１、図２、図５Ａに示す、針１を用いた吊り下げ具２の図面に基づいて、金型を用いて、図９Ａ、図９Ｂに示すように、合成樹脂で針１と吊り下げ具２とを実施例２として製造した。針１の針本体部１０の先端１０ａの直径は０．５ｍｍとし、針本体部１０の長さは３０ｍｍとし、第一の螺子部１２は、雄螺子部とし、第二の螺子部２３は、雌螺子部とした。本体部２０は、表面視で略円形状に構成し、延出部２１の傾斜の角度Ｒは約６０度とした。又、突起部２４は、吊り下げ本体部２０の裏面２０Ｓ２の他端２０ｂ（下端）の所定の位置に、吊り下げ本体部２０の左右方向のそれぞれに二つ設けた。突起部２４は、三角錐状で、半径は約０．８ｍｍとし、高さは約１．５ｍｍとした。吊り下げ部２５は、円柱形状の延出部２１と一体として形成した。
【００５５】
針１を突き刺し可能な壁面Ｗに、実施例２の吊り下げ具２の吊り下げ本体部２０の延出部２１を上方に向けた状態で、当該吊り下げ本体部２０の裏面２０Ｓ２を壁面Ｗに設置して、吊り下げ本体部２０の突起部２４を壁面Ｗに係止させた。次に、実施例２の針１の針本体部１０の先端１０ａを延出部２１の円筒孔２２に挿通して、針１の胴体部１１の第一の螺子部１２を延出部２１の円筒孔２２の第二の螺子部２３に螺着させることで、当該針本体部１０の先端１０ａを壁面Ｗに突き刺した。この際、針１が細長くても、難なく突き刺すことが可能であった。
【００５６】
そして、吊り下げ部２５となる延出部２１に物品Ｏの連結紐Ｓを吊り下げて、吊り下げ試験を行い、耐荷重を確認した。その結果、図１０に示すように、２．０ｋｇの荷重相当の物品Ｏを吊り下げても、吊り下げ具２は、落下することなく物品Ｏを吊り下げておくことが出来た。更に、物品Ｏの荷重を４．０ｋｇとしても、吊り下げ具２は、落下することなく物品Ｏを吊り下げておくことが出来た。従って、実施例２では、実施例１と同様に、物品Ｏの大きな荷重が掛かったとしても、吊り下げ具２が壁面Ｗから落下することなく、物品Ｏを吊り下げておくことが可能となることが分かった。
【００５７】
又、物品Ｏを吊り下げた後、針１を抜き取り、吊り下げ具２を取り外して、壁面Ｗの針１の突き刺し跡を確認すると、０．５ｍｍ程度の小さい穴が出来ただけで、壁面Ｗへの損傷が殆ど無く、実施例１と同様の効果が得られた。
【産業上の利用可能性】
【００５８】
以上のように、本発明に係る吊り下げ具は、軽量物はもちろん、ある程度の重量物を吊り下げることが可能な、日用品や身の回り品を吊り下げる業務用又は家庭用の吊り下げ具として有用であり、針の突き刺し性に優れ、十分な耐荷重を有し、壁面への針の突き刺し跡を目立たなくすることが可能な吊り下げ具として有効である。
【符号の説明】
【００５９】
１  針
１０  針本体部
１１  胴体部
１２  第一の螺子部
２  吊り下げ具
２０  吊り下げ本体部
２１  延出部
２２  円筒孔
２３  第二の螺子部
２４  突起部
２５  吊り下げ部
【要約】      （修正有）【課題】針の突き刺し跡が壁面に残らない吊り下げ具を提供する。【解決手段】胴体部１１は、針本体部１０の基端１０ｂに設けられ、円筒状である。第一の螺子部１２は、胴体部１１の外周面１１Ｓに設けられている。吊り下げ本体部２０は、板状である。延出部２１は、吊り下げ本体部２０の表面２０Ｓ１の一端２０ａの所定の位置に設けられ、吊り下げ本体部２０の表面２０Ｓ１に対して吊り下げ本体部２０の上方に傾斜して延出される。円筒孔２２は、延出部２１の先端２１ａから吊り下げ本体部２０の裏面２０Ｓ２まで、延出部２１の軸方向に沿って貫通させて設けられている。第二の螺子部２３が、円筒孔２２の内周面に設けられ、第一の螺子部１２と螺着可能である。突起部２４は、吊り下げ本体部２０の裏面２０Ｓ２の他端２０ｂの所定の位置に設けられている。吊り下げ部２５は、吊り下げ本体部２０の上方に延出される。【選択図】図１【図１】
0006721201.tif 000002
【図２】
0006721201.tif 000003
【図３】
0006721201.tif 000004
【図４】
0006721201.tif 000005
【図５】
0006721201.tif 000006
【図６】
0006721201.tif 000007
【図７】
0006721201.tif 000008
【図８】
0006721201.tif 000009
【図９】
0006721201.tif 000010
【図１０】
0006721201.tif 000011